(57)【特許請求の範囲】
【請求項１】
少なくとも二枚の座布団を重ね、複数の周縁に沿ってまたは曲線状の周縁にそって、この二枚の座布団を連結する長尺状の連結機構と、
上記重ねられた少なくとも二枚の座布団につき、上記残りの複数の周縁に沿ってまたは上記残りの曲線状の周縁に沿って、二枚の座布団を着脱自在にする長尺状の着脱機構と、を備え、
上記周縁の長尺状の着脱機構を着状態として、上記二枚の座布団を開閉しない状態として座布団として使用し、  上記周縁の長尺状の着脱機構を脱状態として、上記二枚の座布団を開閉する状態とし、  さらに上記連結機構のうち、頭部付近の周縁の途中で折り返し、あわせて二枚の座布団の顔面側を後頭部側に折り返し、折り返された上記周縁の上記着脱機構を後頭部にて着状態として内部に頭部を収納して防災ずきんとして使用することを特徴とする防災ずきん兼座布団。
【請求項２】
上記防災ずきんはさらに表裏裏返して使用され、上記二枚の座布団の顔面側と後頭部側とで、つまりこの表裏裏返しの表側と裏側との表面が異なる素材になっていることを特徴とする請求項１記載の防災ずきん兼座布団。
【請求項３】
上記二枚の座布団内またはこの座布団内に収納される布団内に、バンドが挿通されるとともに、このバンドがほぼ平行に一対環状に固定されて、この一対の環状のバンドが両腕及び両肩に掛けられて、背に背負うことが可能となることを特徴とする請求項２記載の防災ずきん兼座布団。
【請求項４】
上記二枚の座布団の上記顔面側及び後頭部側のうち一方は、遮熱性または防燃性のよい素材からなり、他方は、保温性または吸湿性のよい素材からなっていることを特徴とする請求項３記載の防災ずきん兼座布団。
【請求項５】
上記顔面側と後頭部側との境界付近の左右ほぼ中央付近には顔面連結部材が取り付けられ、これら顔面連結部材は顔面左右から互いに連結され、上記後頭部側の周縁付近の左右には後頭連結部材が取り付けられ、これら後頭連結部材は後頭部左右から互いに連結されることを特徴とする請求項４記載の防災ずきん兼座布団。
【請求項６】
上記請求項３のバンドは、上記請求項５の顔面連結部材または上記後頭連結部材と係合して固定されることを特徴とする請求項５記載の防災ずきん兼座布団。
【発明の詳細な説明】
【技術分野】
【０００１】
本発明は、防災ずきん兼座布団に関し、災害時に頭部等を守る防災ずきんと、人間の体の下に敷かれる座布団を兼用するものに関する。
【背景技術】
【０００２】
このような防災ずきんは、災害時に頭部を守るために重要なものである。このような防災ずきんは、災害時に重要な必需品であるにもかかわらず、普段使わないため、しまいこんでしまうことも多く、災害時に出せないこともあった。
【０００３】
【特許文献１】実用新案登録第３０９５９３７号公報
【特許文献２】実用新案登録第３０１５７８０号公報
【特許文献３】実用新案登録第３０２１４０３号公報
【特許文献４】実用新案登録第３０２２５２３号公報
【特許文献５】特開２００６−３０５２４７号公報
【特許文献６】特開平８−２５２３３６７号公報
【発明の開示】
【発明が解決しようとする課題】
【０００４】
本発明は、上述した課題を解決するためになされたものであり、本発明の目的は、災害時に防災ずきんをすぐに取り出すことができ、普段生活する場所に置いても邪魔にならない、防災ずきん兼座布団を提供することにある。
【課題を解決するための手段】
【０００５】
このため、本発明の防災ずきん兼座布団は、  少なくとも二枚の座布団を重ね、複数の周縁に沿ってまたは曲線状の周縁にそって、この二枚の座布団を連結する長尺状の連結機構と、  上記重ねられた少なくとも二枚の座布団につき、上記残りの複数の周縁に沿ってまたは上記残りの曲線状の周縁に沿って、二枚の座布団を着脱自在にする長尺状の着脱機構と、を備え、  上記周縁の長尺状の着脱機構を着状態として、上記二枚の座布団を開閉しない状態として座布団として使用し、  上記周縁の長尺状の着脱機構を脱状態として、上記二枚の座布団を開閉する状態として内部に頭部を収納して防災ずきんとして使用するようにした。
【発明の効果】
【０００６】
これにより、本件防災ずきん兼座布団を普段は座布団として使用でき、非常時にはこれを開いて防災ずきんとして使用できる。また、この防災ずきんをさらに裏返して使用でき、気候条件等に応じて裏表の最適な方を選択できる。さらに、座布団として使用するときに、コンパクトにまとまり、不用意に広がったり展開したりせず、快適に使用できる。
【発明を実施するための最良の形態】
【０００７】
（１）防災ずきん兼座布団３１の構造
図１は防災ずきん兼座布団３１の外観を示し、図２は防災ずきん兼座布団３１を開いた状態を示す。防災ずきん兼座布団３１は、正方形状の同形同大の左座布団３２と右座布団３３とが重ねられている。
【０００８】
この正方形の二枚の左座布団３２及び右座布団３３の四辺の周縁のうち、９０度に折れ曲がる二辺の二つの周縁に沿って、二枚の左座布団３２及び右座布団３３が縫合されて連結されている。この縫合ライン３４、３５は長尺状で通常は分離できない。この縫合ライン３４、３５のうち一方を上縫合ライン３４、他方を後頭縫合ライン３５と呼ぶ。
【０００９】
上記正方形の二枚の左座布団３２及び右座布団３３の四辺の周縁のうちの残りの周縁であって、９０度に折れ曲がる二辺の二つの周縁に沿って、二枚の左座布団３２及び右座布団３３を着脱自在に開閉する長尺状の下ファスナー３６及び前方ファスナー３７が取り付けられている。
【００１０】
この下ファスナー３６のファスナーエレメント部を開閉する下スライダー３８は、開放時に上記後頭縫合ライン３５に近い位置に存在し、閉塞時に前方ファスナー３７に向かって移動し、左座布団３２及び右座布団３３の角で停止する。
【００１１】
前方ファスナー３７のファスナーエレメント部を開閉する前方スライダー３９は、開放時に上記上縫合ライン３４に近い位置に存在し、閉塞時に下ファスナー３６に向かって移動し、同じく左座布団３２及び右座布団３３の角で停止する。
【００１２】
上記下ファスナー３６及び前方ファスナー３７を閉じて着状態とし、二枚の左座布団３２及び右座布団３３を開閉しない状態として、これにより、本防災ずきん兼座布団３１を座布団として使用できる。
【００１３】
上記上縫合ライン３４の両端の角には、フック４０及びホック４１が取り付けられている。頭部付近の周縁の途中、つまり上縫合ライン３４のほぼ中央で、この上縫合ライン３４を折り返し、このフック４０とホック４１とを係合することによって、この折り返しを固定できる。
【００１４】
図３は、防災ずきん兼座布団３１を防災ずきんとして頭部に装着したときの顔面部を示す。図４は、防災ずきん兼座布団３１を防災ずきんとして頭部に装着したときの後頭部を示す。
【００１５】
上記右座布団３３の左座布団３２側の面と、左座布団３２の右座布団３３側の面とは、中央で分けられ、前方の前方部面４２と後方の後頭部面４３とに分けられている。このうち、顔面側の前方部面４２は、後頭部側に折り返される。これにより、防災ずきん兼座布団３１を防災ずきんとして使用できる。なお、後頭部面４３の幅は前方部面４２の幅より少し大きく、折り返されたとき、顔面の周囲は後頭部面４３で覆われる状態となり、保温効果などが向上する。
【００１６】
この場合、二枚の左座布団３２及び右座布団３３を開閉する状態として、この二枚の内部つまり後頭部面４３、４３内に頭部が収納される。この左座布団３２及び右座布団３３を半分裏返した状態で、上記開いた状態の前方ファスナー３７の上角にある前方スライダー３９を引き下げて、折り返された周縁の前方ファスナー３７を後頭部にて閉じて着状態にしてもよい。
【００１７】
これにより、防災ずきんにした防災ずきん兼座布団３１の後頭部部分をしっかりと閉じて、ゴミ、火の粉、落下物、その他の危険物が入るのが防止される。この前方スライダー３９は、下縁の下ファスナー３６まで達するところまで下げて、前方ファスナー３７をすべて閉じてもよい。また、前方スライダー３９は、前方ファスナー３７の途中まで下げて、前方ファスナー３７を途中まで閉じてもよい。これにより、防災ずきんの首周りの状態を締めたり緩めたりして調整できる。
【００１８】
上記周縁の前方ファスナー３７の左座布団３２及び右座布団３３のやや内側であって、前方ファスナー３７の中央付近には、左右一対の後頭中央結束バンド４４、４４が取り付けられている。また、上記前方ファスナー３７の下縁つまり下ファスナー３６に近い箇所には、左右一対の後頭下縁結束バンド４５、４５が取り付けられている。
【００１９】
これら後頭中央結束バンド４４、４４及び後頭下縁結束バンド４５、４５の先端には面ファスナーなどの連結機構が取り付けられており、防災ずきん使用時の後頭部において、左右から互いに連結される。これにより、急いでいて上記前方ファスナー３７を閉じられないときには、後頭中央結束バンド４４、４４及び／または後頭下縁結束バンド４５、４５で、防災ずきんの後頭部を閉じることができる。また、防災ずきんの顔面周り及び頭部周り、並びに首周りの状態を締めたり緩めたりして調整できる。
【００２０】
上記前方部面４２と後頭部面４３との境界付近のほぼ中央であって、上記左座布団３２及び右座布団３３の内側の中心付近には、左右一対の顔面下方結束バンド４６、４６が取り付けられている。この顔面下方結束バンド４６、４６の先端には面ファスナーなどの連結機構が取り付けられており、防災ずきん使用時の顔面下方において、左右から互いに連結される。これにより、防災ずきんの顔面周り及び首回りの状態を締めたり緩めたりして調整できる。
【００２１】
（２）防災ずきん兼座布団３１をさらに裏返した状態
図５は、上記防災ずきんと使用される防災ずきん兼座布団３１をさらに裏返した状態の顔面部を示し、図６は、同じく上記防災ずきんと使用される防災ずきん兼座布団３１をさらに裏返した状態の後頭部を示す。上記図４の状態において、上記後頭中央結束バンド４４、４４、後頭下縁結束バンド４５、４５、顔面下方結束バンド４６、４６の結束／連結をほどき、防災ずきん兼座布団３１を頭部からはずし、後頭部中央にある前方ファスナー３７を押し込んで裏返す。
【００２２】
図４の状態では、前方部面４２が防災ずきんの外面に位置し、後頭部面４３が防災ずきんの内面になっている。これを図５及び図６のように、さらに表裏裏返すと、この配置が逆転して、後頭部面４３が防災ずきんの外面に位置し、前方部面４２が防災ずきんの内面になる。この状態では、前方ファスナー３７を下端まで容易に下げることができる。
【００２３】
このように、防災ずきんをさらに裏返しても使用でき、後頭中央結束バンド４４、４４、後頭下縁結束バンド４５、４５が無くても、前方ファスナー３７によって、後頭部部分を閉じるという同様の働きをすることができる。顔面下方結束バンド４６、４６は同様に結束／連結することはできる。
【００２４】
このように防災ずきんを裏返すことができ、防災ずきんの内面を後頭部面４３にしたり、前方部面４２にしたりして、外的条件、気候条件、その他の条件に応じて最適な方を選択できる。同様に、防災ずきんの外面を前方部面４２にしたり、後頭部面４３にしたりして、外的条件、気候条件、その他の条件に応じて最適な方を選択できる。
【００２５】
例えば、前方部面４２を通気性の高いものまたは冷却性のあるものなどとし、後頭部面４３を保温性の高いものまたは加温性のあるものなどとすれば、夏など暑いときには前方部面４２を内側にし、冬など寒いときには後頭部面４３を内側にすれば、快適となる。
【００２６】
なお、上記顔面下方結束バンド４６、４６と、後頭下縁結束バンド４５、４５と、顔面下方結束バンド４６、４６とは、それぞれ異なる色とされる。しかも、後頭中央結束バンド４４、４４の左右、後頭下縁結束バンド４５、４５の左右、顔面下方結束バンド４６、４６の左右は、それぞれ同じ色とされる。これにより、異なるバンド同志を、誤って結束／連結してしまうことがなくなる。
【００２７】
（３）前方部面４２及び後頭部面４３の素材
上記前方部面４２は、例えば、バンブー繊維からなる布、光触媒作用のある布、防燃性、防火性、難燃性、耐燃性、耐火性、耐熱性、遮熱性のよい素材の布からなっている。また、上記後頭部面４３は、例えば、遠赤外線を発する布、熱伝導性、放熱性、加温性、保温性または吸湿性のよい素材の布からなっている。
【００２８】
したがって、上記二枚の左座布団３２及び右座布団３３の顔面側と後頭部側とで、つまり防災ずきんの表裏裏返しの表側と裏側との表面が異なる素材となっている。これにより、外的条件、気候条件、その他の条件に応じて、前方部面４２または後頭部面４３のうち、最適な方を選択して、これを外側または内側にできる。
【００２９】
上記前方部面４２は、例えば、ガラス繊維、金属繊維、セラミック繊維、火山岩繊維、岩石繊維等である。この前方部面４２は、火災等の炎に対して強く燃えないまたは燃えにくいし、熱を伝えにくく、防災ずきん兼座布団３１を防災ずきんとして使用したときに頭部を熱・炎等から守るし、ガラスなどの飛散物、落下物、その他の危険物からも頭部を守る。この前方部面４２としては、例えばローランド、ＢＥベージュまたはカネカロンなどが用いられる。
【００３０】
上記後頭部面４３は、例えば「ロンウェーブ」（株式会社クラレの製品）が用いられる。この「ロンウェーブ」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００３１】
上記「ロンウェーブ」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多い。遠赤外線発生布２としては、遠赤外線を発生できれば、他のどのような素材でもよいし、中赤外線、中遠赤外線を発生する素材でもよい。
【００３２】
この後頭部面４３としては、他に、ウォーマル、ゼオライト、羊毛ゼオライト、ヤンロン加工布／綿、富士山溶岩シーツ（おとぎの国http://store.shopping.yahoo.co.jp/otogino/ba0612.html）などが選択され、遠赤外線を発生して加温作用／血行促進作用を発揮する。この富士山溶岩シーツは、富士山の溶岩の粉末が繊維に練り込まれて、溶岩の成分が含まれているまたは付着されている。このような溶岩シーツは、身体から出た熱を吸収し、この吸収した熱を遠赤外線として放射する。
【００３３】
このような後頭部面４３としては、さらに、他に、立体構造編物、シャインアップ、バンブー繊維、キチンキトサン繊維、ディスメルなどでもよい。立体構造編物は後述し、通気性に優れている。このシャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。このようないずれの繊維によるシートの場合でも防水加工が施される。
【００３４】
（４）前方部面４２及び後頭部面４３の断面構造
図７は、前方部面４２及び後頭部面４３の断面構造を示す。重ねられた二枚の左座布団３２及び右座布団３３の外面、つまり防災ずきん兼座布団３１の最上面と最下面とは、通常の座布団用の座布団布５１、５１からなっている。この座布団布５１、５１の内側には難燃性の難燃綿５２、５２が積層され、この内側には防炎布地５３、５３がさらに積層され、このさらに内側には上述の前方部面４２及び後頭部面４３が積層されている。
【００３５】
したがって、重なった二枚の左座布団３２及び右座布団３３は、上下対称の構造となっている。これにより、左座布団３２を上にしても右座布団３３を上にしてもどちらでも同様の座り心地となる。前方部面４２はキルティング加工がなされている。
【００３６】
上記座布団布５１、５１は、光触媒作用のある汚れにくい布、防燃性、防火性、難燃性、耐燃性、耐火性、耐熱性、遮熱性のよい素材の布、遠赤外線を発する布、熱伝導性、放熱性、加温性、保温性または吸湿性のよい素材の布からなっていてもよい。
【００３７】
（５）防災ずきん兼座布団３１に収納される布団６１
図８は、防災ずきん兼座布団３１に収納される布団６１を示す。この布団６１は防災ずきん兼座布団３１の座布団の中綿の役目を果たす。この布団６１の光触媒布６２と撥水加工布６３とが重ねられ、キルティング可能などで互いに縫合されている。この光触媒布６２と撥水加工布６３との間には、ウレタンフォーム素材またはウレタンチップ素材などの低反発ウレタン６４が多数内蔵されている。
【００３８】
この布団６１は長方形状で、端部３分の１ほどには、低反発ウレタン６４は内蔵されていない。この低反発ウレタン６４がない部分は足が乗せられたりされる。この布団６１は非常時の敷布団、または掛け布団として使用される。そして、防災ずきん兼座布団３１は枕として使用される。
【００３９】
このような布団６１は多々追えば三つ折りなどにされて、防災ずきん兼座布団３１内に収納される。この布団６１は、防災ずきん兼座布団３１内に収納されなくてもよい。このような布団６１は丸めて円柱状にして、腰当てまたは枕などにされてもよい。このような状態を保持するため、布団６１の表面には、面ファスナー、フックとホック、接着テープ、磁石、ボタンとボタンホール、紐などが設けられている。
【００４０】
このような防災ずきん兼座布団３１内の収納部７４内に収納されるものは、布団６１以外に、毛布、シーツ、レジャーシート、アルミブランケット、レインコート、ポリ袋、笛、筆記具、布テープ、非常食、非常飲料、照明、ラジオ、テレビ、救急用具、タオル、カイロ、発電機、充電器、軍手、ロープ、食器、非常トイレ、ＡＥＤ、担架、スリッパ、スニーカー、ろうそく、マッチ、その他非常時の用品が収納されてもよい。このような非常用品は袋に収納されて防災ずきん兼座布団３１内に収納される。
【００４１】
（６）防災ずきん兼座布団３１を鞄として使用するとき
図９は、防災ずきん兼座布団３１を肩掛け鞄として使用する状態を示す。上記下ファスナー３６のやや内側の下ファスナー３６の両端付近であって、それぞれ左座布団３２の内面と、右座布団３３の内面には、面ファスナーの係止面７１、７１が取り付けられている。
【００４２】
この係止面７１、７１には、肩掛けバンド７２の両端の面ファスナーの係止面７３、７３が係止される。これにより、防災ずきん兼座布団３１を肩掛け鞄として転用できる。この場合、下ファスナー３６の内側の左座布団３２及び右座布団３３にはフックとフック、または別のファスナーなどが設けられてもよい。これにより、肩掛け鞄の上口を閉じることができる。
【００４３】
このような肩掛けバンド７２の両端は、あらかじめ左座布団３２及び右座布団３３に縫合されていてもよいし、左座布団３２及び右座布団３３の外側を周回して環状の一本に繋がっていてもよい。このような肩掛けバンド７２は、左座布団３２及び右座布団３３の間の収納部７４内に予め収納される。
【００４４】
このような係止面７１、７１は、左座布団３２及び右座布団３３の外側に設けられてもよい。また、係止面７１、７１は、下ファスナー３６の両端ではなく、中央付近に設けられてもよい。中央付近にすると、下スライダー３８及び前方スライダー３９を肩掛けバンド７２付近までスライドさせることができ、下ファスナー３６をほぼ完全に閉じることができる。
【００４５】
本実施例では、肩掛けバンド７２を下ファスナー３６側に設けているので、防災ずきんとして使用するときにも、肩掛け鞄として使用するときにも、前方ファスナー３７を閉じたままにすることができ、転用するための作業が少なくて済む。
【００４６】
このような係止面７１、７１、肩掛けバンド７２、係止面７３、７３、収納部７４は、布団６１の方に構成されてもよい。この場合、布団６１の周縁に沿って、ファスナー及びスライダーのほか、フックとホック、面ファスナー、接着テープ、磁石、ボタンとボタンホール、紐など、着脱／開閉できる機構が設けられ、布団６１が肩掛け鞄とされる。
【００４７】
（７）防災ずきん兼座布団３１をリュックサックとして使用するとき
図１０は、防災ずきん兼座布団３１をリックサックとして使用する状態を示す。上防災ずきん兼座布団３１の左座布団３２または右座布団３３の中には、斜めに交差する二本の挿通穴８１、８１が形成されている。この二本の挿通穴８１、８１には、一本のリュックバンド８２が挿通され、両端の係合フック８３と係合ホック８４とが係合されて図９に示すとおり一本に連結される。
【００４８】
このリュックバンド８２で、防災ずきん兼座布団３１の横に形成された、ほぼ平行の一対の二つの環に両腕と両肩を通して掛けられ、防災ずきん兼座布団３１を背中に背負って、リックサックとして使用できる。このようなリュックバンド８２は、左座布団３２及び右座布団３３の間の収納部７４内に予め収納される。
【００４９】
本実施例では、防災ずきん兼座布団３１内に物を出し入れするとき、上側の下ファスナー３６を開閉するほか、横側の前方ファスナー３７を開閉してもよく、協力者に横から物を出し入れしてもらうことができる。
【００５０】
上記挿通穴８１、８１は交差せずに、二本ならんで縦方向に延びていてもよく、この場合、リュックバンド８２は二本とされてもよい。また、リュックバンド８２の表面に面ファスナーが取り付けられ、左座布団３２の外面または右座布団３３の外面にも面ファスナーが取り付けられて、面ファスナーでリュックバンド８２と防災ずきん兼座布団３１とが連結されてもよい。
【００５１】
この場合、挿通穴８１、８１は不要となる。また、リュックバンド８２は、左座布団３２及び右座布団３３の間の収納部７４内を挿通してもよい。この場合、下ファスナー３６及び前方ファスナー３７のスライダーは２つではなく４つとされて、下ファスナー３６及び前方ファスナー３７とリュックバンド８２との隙間が塞がれる。
【００５２】
そして、この場合、上記リュックバンド８２の面ファスナー部分が、上記後頭中央結束バンド４４、４４、後頭下縁結束バンド４５、４５、または顔面下方結束バンド４６、４６の面ファスナー部分に係合される。これにより、リュックバンド８２が収納部７４内で固定される。
【００５３】
上記係合フック８３と係合ホック８４、上記係止面７１、７１、７３、７３は、フックとホック、面ファスナー、接着テープ、磁石、ボタンとボタンホール、紐など、着脱／開閉できればなんでもよい。
【００５４】
このような挿通穴８１、リュックバンド８２、係合フック８３、係合ホック８４は、布団６１の方に構成されてもよい。この場合、布団６１の周縁に沿って、ファスナー及びスライダーのほか、フックとホック、面ファスナー、接着テープ、磁石、ボタンとボタンホール、紐など、着脱／開閉できる機構が設けられ、布団６１がリュックサックとされる。
【００５５】
（８）他の実施の形態
本発明は上記各実施例に限定されず、本発明の趣旨を逸脱しない範囲で種々変更可能である。例えば、防災ずきん兼座布団３１は座蒲団のほか、クッション、枕、腰当、背中当て、首あて等としても使用可能である。
【００５６】
上記下ファスナー３６及び／または前方ファスナー３７は、フックとホック、面ファスナー、接着テープ、磁石、ボタンとボタンホール、紐など、着脱／開閉できればなんでもよい。この場合、このような機構は、左座布団３２及び右座布団３３の周縁のやや内側に設けられてもよいし、やや外側に設けられてもよい。
【００５７】
上記後頭中央結束バンド４４、４４または／及び後頭下縁結束バンド４５、４５は省略されてもよい。この場合、前方ファスナー３７が、これら後頭中央結束バンド４４、４４及び／または後頭下縁結束バンド４５、４５とほぼ同等の働きをする。
【００５８】
上記フック４０及びホック４１は省略されてもよい。これが無くても、前方ファスナー３７で同等の働きを得ることができる。また、上記フック４０及びホック４１は、他に面ファスナー、接着テープ、ファスナー、磁石、ボタンとボタンホール、紐など、着脱できればなんでもよい。
【００５９】
重ね合わされた二枚の左座布団３２及び右座布団３３の外面は、同じ座布団布５１、５１であったが、異なる素材でもよい。例えば、一方の座布団の外面は、遠赤外線を発する布など、加温性、保温性などのある布が用いられ、他方の座布団の外面は、光触媒作用または金属繊維など、冷却性または放熱性のある素材の布が用いられてもよい。
【００６０】
左座布団３２及び右座布団３３の積層構造は、座布団布５１、５１、難燃綿５２、５２、防炎布地５３、５３、前方部面４２、後頭部面４３以外の素材が積層されてもよいし、これらのいくつかが省略されてもよい。
【００６１】
上記前方部面４２と後頭部面４３とが入れ替わり、前方部面４２は、遠赤外線を発する布、熱伝導性、放熱性、加温性、保温性または吸湿性のよい素材の布からなっていてもよいし、後頭部面４３は、バンブー繊維からなる布、光触媒作用のある布、防燃性、防火性、難燃性、耐燃性、耐火性、耐熱性、遮熱性のよい素材の布からなっていてもよい。
【００６２】
前方部面４２と後頭部面４３とは、同じ素材の布でもよい。後頭部面４３の幅より前方部面４２の幅の方が狭かったが、逆に広くてもよいし、同じ幅でもよい。前方部面４２と後頭部面４３との境界は、前方ファスナー３７または後頭縫合ライン３５と平行であったが、斜めであってもよいし、正方形状の左座布団３２及び右座布団３３の対角線であってもよいし、ジグザグの形状でもよい。
【００６３】
上記下ファスナー３６または／及び前方ファスナー３７は、面ファスナー、接着テープ、フック及びホック、磁石、ボタンとボタンホール、紐など、着脱できればなんでもよい。上縫合ライン３４  後頭縫合ライン３５は、縫合のほか、ボタンとボタンホール、面ファスナー、接着剤、接着テープ、フック及びホック、磁石、紐など、連結できればなんでもよい。
【００６４】
上記上縫合ライン３４または後頭縫合ライン３５は、下ファスナー３６及び前方ファスナー３７のようなファスナーに置き換えられてもよい。下ファスナー３６または前方ファスナー３７は、上縫合ライン３４及び後頭縫合ライン３５のような縫合ラインに置き換えられてもよい。
【００６５】
縫合ラインが正方形の一辺だけであると、二枚の左座布団３２及び右座布団３３を広げて敷布団、その他の尻敷きに使用できる。縫合ラインが無くて、すべてファスナーになれば、左座布団３２と右座布団３３とを分離して使用できる。
【００６６】
防災ずきん兼座布団３１、左座布団３２、右座布団３３の形状は、正方形のほか、長方形、多角形、円形、楕円形、ひょうたん型、その他の凹みのある形状でもよい。防災ずきん兼座布団３１、左座布団３２、右座布団３３の枚数は上記のものに限られず、２枚以上、３枚以上であってもよい。これにより、各座布団の間に多層の収納部を形成できる。
【００６７】
上記後頭中央結束バンド４４、４４、後頭下縁結束バンド４５、４５、顔面下方結束バンド４６、４６、肩掛けバンド７２の数は任意であり、上記より多くても少なくてもよいし、取り付け位置も、上記のものに限られず、防災ずきん兼座布団の内外どこに設けられてもよい。
【００６８】
上記後頭中央結束バンド４４、４４、後頭下縁結束バンド４５、４５、顔面下方結束バンド４６、４６、肩掛けバンド７２は、フックとホック、面ファスナー、接着テープ、磁石、ボタンとボタンホール、紐など、着脱できればなんでもよい。上記肩掛けバンド７２は、帯状のほか、方形状または円状などの面状でもよいし、厚みのある立体的なものでもよい。
【００６９】
上記布団６１は座布団の中綿のような機能を発揮できれば何でもよいし、省略されてもよい。低反発ウレタン６４はクッション性・反発性があれば何でもよいし、省略されてもよい。低反発ウレタン６４は布団６１の全面に内在されてもよい。
【００７０】
左座布団３２、右座布団３３、上縫合ライン３４、後頭縫合ライン３５、下ファスナー３６、前方ファスナー３７、下スライダー３８、前方スライダー３９、フック４０及びホック４１、前方部面４２、後頭部面４３、後頭中央結束バンド４４、４４、後頭下縁結束バンド４５、４５、顔面下方結束バンド４６、４６、座布団布５１、５１、難燃綿５２、５２、防炎布地５３、５３、布団６１、光触媒布６２、撥水加工布６３、低反発ウレタン６４の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は繊維製、軟質樹脂製のほか、硬質樹脂製、金属製、木製、紙製、ゴム製、表面に化粧紙が接着されたもの、竹製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００７１】
（９）他の発明の効果
［１］少なくとも二枚の座布団を重ね、複数の周縁に沿ってまたは曲線状の周縁にそって、この二枚の座布団を連結する長尺状の連結機構と、  上記重ねられた少なくとも二枚の座布団につき、上記残りの複数の周縁に沿ってまたは上記残りの曲線状の周縁に沿って、二枚の座布団を着脱自在にする長尺状の着脱機構と、を備え、  上記周縁の長尺状の着脱機構を着状態として、上記二枚の座布団を開閉しない状態として座布団として使用し、  上記周縁の長尺状の着脱機構を脱状態として、上記二枚の座布団を開閉する状態として内部に頭部を収納して防災ずきんとして使用することを特徴とする防災ずきん兼座布団。
【００７２】
［２］上記防災ずきんとして使用する場合において、上記連結機構のうち、頭部付近の周縁の途中で折り返し、あわせて二枚の座布団の顔面側を後頭部側に折り返し、折り返された上記周縁の上記着脱機構を後頭部にて着状態とすることを特徴とする請求項１記載の防災ずきん兼座布団。これにより、防災ずきんの厚みを上記折り返しの分だけ厚くでき、防災能力を高めることができる。
【００７３】
［３］上記防災ずきんはさらに表裏裏返して使用され、上記二枚の座布団の顔面側と後頭部側とで、つまりこの表裏裏返しの表側と裏側との表面が異なる素材になっていることを特徴とする請求項２記載の防災ずきん兼座布団。
【００７４】
これにより、着脱機構の一部を防災ずきんの内部に隠すことができ、外観上すぐれ、着脱機構が露出して布などが引っ掛からないようにできる。また、防災ずきんの外観を表裏裏返し前と後で切り換えることができ、異なる外観または異なる機能の防災ずきんを実現できる。
【００７５】
［４］上記二枚の座布団内またはこの座布団内に収納される布団内に、バンドが挿通されるとともに、このバンドがほぼ平行に一対環状に固定されて、この一対の環状のバンドが両腕及び両肩に掛けられて、背に背負うことが可能となることを特徴とする請求項３記載の防災ずきん兼座布団。これにより、本防災ずきん兼座布団を非常用のリックサックとして転用でき、内部に非常用品その他の用品を収納できて、これを運搬できる。
【００７６】
［５］上記二枚の座布団の上記顔面側及び後頭部側のうち一方は、遮熱性または防燃性のよい素材からなり、他方は、保温性または吸湿性のよい素材からなっていることを特徴とする請求項４記載の防災ずきん兼座布団。これにより、暑い日、寒い日、降雨降雪の日または晴れの日など気候条件、火災、豪雨、風雨、落下物など非常時の条件に応じて、防災ずきんを切り換えることができる。
【００７７】
［６］上記顔面側と後頭部側との境界付近の左右ほぼ中央付近には顔面連結部材が取り付けられ、これら顔面連結部材は顔面左右から互いに連結され、上記後頭部側の周縁付近の左右には後頭連結部材が取り付けられ、これら後頭連結部材は後頭部左右から互いに連結されることを特徴とする請求項５記載の防災ずきん兼座布団。これにより、防災ずきんを頭部に締め付けて容易に離脱しないようにできる。
【００７８】
［７］上記請求項４のバンドは、上記請求項６の顔面連結部材または上記後頭連結部材と係合して固定されることを特徴とする請求項６記載の防災ずきん兼座布団。これにより、防災ずきん兼座布団をリュックサックに転用しているときでも、顔面連結部材または上記後頭連結部材を有効活用でき、顔面連結部材または上記後頭連結部材が無駄にならず、顔面連結部材または上記後頭連結部材が使用されていないときでもじゃまにならない。
【産業上の利用可能性】
【００７９】
座布団の内部を広げて、頭部にかぶせ、防災ずきんとする。この防災ずきんはさらに表裏裏返しできる。この防災ずきんは肩掛け鞄・リックサックにも変更できる。防災ずきんを座布団にもして、普段生活する場所で邪魔にならず、災害時に防災ずきんをすぐに取り出す。防災ずきん兼座布団３１の下ファスナー３６及び前方ファスナー３７を開いて裏返して頭部にかぶせ、内側の後頭部面４３を頭部に当接させたまま、前方部面４２を折り返して外側にする（図３及び図４）。
【００８０】
気候条件または災害時の条件が変われば、この防災ずきんをさらに裏返して、前方部面４２を頭部に当接させ、後頭部面４３を外側にする（図５及び図６）。この防災ずきんでは、前方ファスナー３７を閉じておくことができる。後頭中央結束バンド４４、４４、後頭下縁結束バンド４５、４５、顔面下方結束バンド４６、４６を結束して防災ずきんを頭部から外れないようにする。座布団の状態で、挿通穴８１にリュックバンド８２を通して肩に掛け、収納部７４内に非常用備品を収納して所持運搬できる（図１０）。  
【図面の簡単な説明】
【００８１】
【図１】防災ずきん兼座布団３１の外観を示す。
【図２】防災ずきん兼座布団３１を開いた状態を示す。
【図３】防災ずきん兼座布団３１を防災ずきんとして頭部に装着したときの顔面部を示す。
【図４】防災ずきん兼座布団３１を防災ずきんとして頭部に装着したときの後頭部を示す。
【図５】防災ずきんと使用される防災ずきん兼座布団３１をさらに裏返した状態の顔面部を示す。
【図６】防災ずきんと使用される防災ずきん兼座布団３１をさらに裏返した状態の後頭部を示す。
【図７】前方部面４２及び後頭部面４３の断面構造を示す。
【図８】防災ずきん兼座布団３１に収納される布団６１を示す。
【図９】防災ずきん兼座布団３１を肩掛け鞄として使用する状態を示す。
【図１０】防災ずきん兼座布団３１をリックサックとして使用する状態を示す。
【符号の説明】
【００８２】
３１…防災ずきん兼座布団、３２…左座布団、
３３…右座布団、３４…上縫合ライン（連結機構）、
３５…後頭縫合ライン（連結機構）、
３６…下ファスナー（着脱機構）、
３７…前方ファスナー（着脱機構）、
３８…下スライダー（着脱機構）、
３９…前方スライダー（着脱機構）、
４０…フック、４１…ホック、
４２…前方部面（キルティング）、４３…後頭部面、
４４…後頭中央結束バンド（後頭連結部材）、
４５…後頭下縁結束バンド（後頭連結部材）、
４６…顔面下方結束バンド、５１…座布団布、
５２…難燃綿、５３…防炎布地、
６１…布団、６２…光触媒布、
６３…撥水加工布、６４…低反発ウレタン、
７１…係止面、７２…肩掛けバンド、
７３…係止面、７４…収納部、
８１…挿通穴、８２…リュックバンド、
８３…係合フック、８４…係合ホック。
【図１】
0005679531.tif 000002
【図２】
0005679531.tif 000003
【図３】
0005679531.tif 000004
【図４】
0005679531.tif 000005
【図５】
0005679531.tif 000006
【図６】
0005679531.tif 000007
【図７】
0005679531.tif 000008
【図８】
0005679531.tif 000009
【図９】
0005679531.tif 000010
【図１０】
0005679531.tif 000011